(57)【要約】      （修正有）【課題】リベットプラグからリベットを容易で迅速に引き出すことができ、操作が便利であり、リベット及びリベットプラグに傷つけず、リベット固定アセンブリを再利用することが可能なペンチを提供する。【解決手段】扁平状を呈する第１挟み顎１２を備える第１挟み部材１と、第１挟み部材１に対して開閉可能に第１挟み部材１に設けられており、扁平状を呈する二つの第２挟み顎２２を備え、二つの第２挟み顎２２が間隔を置いて設けられて収容口を形成する第２挟み部材２と、を備え、第１挟み部材１と第２挟み部材２が相対的に開閉するときに、第１挟み顎１２は収容口に対して近接し、又は離れる。【選択図】図２
0003222669.tif 000002
【実用新案登録請求の範囲】
【請求項１】
扁平状を呈する第１挟み顎を備える第１挟み部材と、
前記第１挟み部材に対して開閉可能に前記第１挟み部材に設けられており、扁平状を呈する二つの第２挟み顎を備え、前記二つの第２挟み顎が間隔を置いて設けられて収容口を前記二つの第２挟み顎の間に形成する第２挟み部材と、
を備え、
前記第１挟み部材と前記第２挟み部材を相対的に開閉するときに、前記第１挟み顎は前記収容口に対して近接し、又は離れることを特徴とするペンチ。
【請求項２】
前記第１挟み部材は、更に、互いに連接する、第１ヘッド部、第１身部および第１握り部を備え、前記第１挟み顎は前記第１ヘッド部に設けられており、前記第２挟み部材は、更に、互いに連接する、第２ヘッド部、第２身部および第２握り部を備え、前記第２挟み顎は前記第２ヘッド部に設けられており、前記第２身部は前記第１身部に枢着されていることを特徴とする、請求項１に記載のペンチ。
【請求項３】
前記第１ヘッド部は前記第１身部に脱着可能に設けられており、前記第２ヘッド部は前記第２身部に脱着可能に設けられていることを特徴とする、請求項２に記載のペンチ。
【請求項４】
前記第１握り部と前記第２握り部とには、複数のリブが間隔をおいて設けられており、互いに隣接する二つの前記リブの間には、指を置くことが可能な置き空間が設けられていることを特徴とする、請求項２に記載のペンチ。
【請求項５】
枢着軸は、前記第１身部と前記第２身部とを挿通し、前記第１ヘッド部と前記第１握り部は、それぞれ前記枢着軸の両側に位置し、前記第２ヘッド部と前記第２握り部は、それぞれ前記枢着軸の両側に位置し、前記第１握り部が前記第２握り部に近接するときに、前記第１挟み顎と二つの前記第２挟み顎は互いに近接し、前記第１握り部と前記第２握り部との間に弾性部材が設けられており、前記弾性部材により、前記第１握り部と前記第２握り部は互いに離れるように付勢されることを特徴とする、請求項２に記載のペンチ。
【請求項６】
前記第１挟み顎は、前記二つの第２挟み顎の一側へ伸びながら、幅が縮小して第１差込端が形成され、前記各第２挟み顎は、前記第１挟み顎の一側へ同じ幅で伸びて第２差込端が形成されることを特徴とする、請求項２から５の何れかの１項に記載のペンチ。
【請求項７】
前記第１差込端と前記第１ヘッド部から第１夾角を成し、前記第１夾角の角度は９０度〜１２０度の範囲であり、前記第２差込端と前記第２ヘッド部から第２夾角を成し、前記第２夾角の角度は前記第１夾角の角度と同じであることを特徴とする、請求項６に記載のペンチ。
【請求項８】
前記第１ヘッド部は前記第１身部に脱着可能に設けられており、前記第２ヘッド部は前記第２身部に脱着可能に設けられており、前記第１身部は前記第１握り部と一体に成形され、前記第２身部は前記第２握り部と一体に成形され、前記第１身部と前記第１握り部とは板状を呈し、前記第２身部と前記第２握り部とは板状を呈し、前記第１握り部と前記第２握り部とには、複数のリブが間隔をおいて設けられており、隣接する二つの前記リブは、指を置き可能な置き空間を形成し、前記第１挟み顎は、前記二つの第２挟み顎の一側へ伸びながら、幅が縮小して第１差込端が形成され、前記各第２挟み顎は、前記第１挟み顎の一側へ同じ幅で伸びて第２差込端が形成され、前記第１身部と前記第１握り部との構造は、前記第２身部と前記第２握り部との構造と同じであり、前記第１ヘッド部と前記第２ヘッド部とは、同じ側から前記第１身部と前記第２身部とに組付けられており、
前記ペンチは、リベットを挟んでリベット台から引き出すことが可能であり、前記リベットは、ヘッド部と、軸と、を備え、前記軸は、前記ヘッド部に垂直であるように伸び、前記リベットが前記リベット台と係合するときに、前記軸は前記リベット台に差し込まれており、前記リベット台は、前記軸の差し込みにより膨らんで、これが差し込まれているワークと緊密に結合し、前記ヘッド部と前記リベット台とは、少なくとも三つの切り欠を形成し、前記第１挟み顎と二つの前記第２挟み顎とは、三つの前記切り欠に伸びて、
二つの前記第２挟み顎は、側方向から前記ヘッド部に押し付けて、前記第１挟み顎は、前記ヘッド部の相対的な下方に伸びて、前記ヘッド部を前記リベット台から離脱させ、
前記第１挟み顎と二つの前記第２挟み顎が近接するときには、前記第１挟み顎が前記軸に押し付け、前記収容口が前記軸の一部を収容し、二つの前記第２挟み顎が前記軸の両側に位置し、前記第１挟み顎と前記第２挟み顎とは、前記軸の伸び方向において前記ヘッド部と干渉し、前記第１差込端と前記第１ヘッド部から第１夾角を成し、前記第１夾角の角度は９０度〜１２０度範囲であり、前記第２差込端と前記第２ヘッド部から第２夾角を成し、前記第２夾角の角度は前記第１夾角の角度と同じであることを特徴とする、請求項５に記載のペンチ。
【考案の詳細な説明】
【技術分野】
【０００１】
本考案は、手工具に関し、特に、ペンチに関するものである。
【背景技術】
【０００２】
ペンチの構造は、顎部の一端がより短く、握り部の一端がより長く、レバレッジにより、顎部により大きい挟み力を発生することができ、省力効果を有し、操作が容易である。このため、使用者は、ペンチを利用して、例えば挟み、切断、曲がりなどの作業を行う。そしてペンチにより、ワークと直接に接触することが必要ないため、高温、低温または腐食性を持つ品物を挟むときに、ペンチを利用することが一般的である。一方、ペンチの顎部により、より小さい品物を精確に挟むことができるため、作業性が極めて良い。
【０００３】
しかし、従来のペンチは、多くの長所を持つが、リベット固定アセンブリの取外しに利用することができない。リベット固定アセンブリは、リベットと、リベットプラグと、を備える。これは、リベットプラグにリベットを入れて、両方を一体に結合した後、全体は、ロック構造となり、差し込まれたワークから引き出すことができない。リベット固定アセンブリを取り外そうとする場合には、まず、リベットプラグからリベットを引き出すことが必要である。しかし、専用の工具を利用しないと、リベットプラグからリベットを引き出すことができない。
【考案の概要】
【考案が解決しようとする課題】
【０００４】
本考案の主な目的は、リベットプラグからリベットを容易で迅速に引き出すことができ、操作が便利であり、リベット及びリベットプラグに傷つけず、リベット固定アセンブリを再利用することが可能なペンチを提供することにある。
【課題を解決するための手段】
【０００５】
本考案に係るペンチによると、扁平状を呈する第１挟み顎を備える第１挟み部材と、第１挟み部材に対して開閉可能に第１挟み部材に設けられており、扁平状を呈する二つの第２挟み顎を備え、二つの第２挟み顎が間隔を置いて設けられて前記二つの第２挟み顎の間に収容口を形成する第２挟み部材と、を備え、第１挟み部材と第２挟み部材を相対的に開閉するときに、第１挟み顎は収容口に対して近接し、又は離れることを特徴とする。
【０００６】
本考案に係るペンチによると、第１挟み部材は、更に、互いに連接する、第１ヘッド部、第１身部および第１握り部を備え、第１挟み顎は第１ヘッド部に設けられており、第２挟み部材は、更に、互いに連接する、第２ヘッド部、第２身部および第２握り部を備え、第２挟み顎は第２ヘッド部に設けられており、第２身部は第１身部に枢着されていることを特徴とする。
【０００７】
本考案に係るペンチによると、第１ヘッド部は第１身部に脱着可能に設けられており、第２ヘッド部は第２身部に脱着可能に設けられていることを特徴とする。
【０００８】
本考案に係るペンチによると、第１握り部と第２握り部とには、間隔を置いて設けられているリブが複数設けられており、互いに隣接する二つのリブの間には、指を置くことが可能な置き空間が設けられていることを特徴とする。
【０００９】
本考案に係るペンチによると、枢着軸は、第１身部と第２身部とを挿通し、第１ヘッド部と第１握り部は、それぞれ枢着軸の両側に位置し、第２ヘッド部と第２握り部は、それぞれ枢着軸の両側に位置し、第１握り部が第２握り部に近接するときに、第１挟み顎と二つの第２挟み顎は互いに近接し、第１握り部と第２握り部との間に弾性部材が設けられており、弾性部材により、第１握り部と第２握り部は互いに離れるように付勢されることを特徴とする。
【００１０】
本考案に係るペンチによると、第１挟み顎は、二つの第２挟み顎の一側へ伸びながら、幅が縮小して第１差込端が形成され、各第２挟み顎は、第１挟み顎の一側へ同じ幅で伸びて第２差込端が形成されることを特徴とする。
【００１１】
本考案に係るペンチによると、第１差込端と第１ヘッド部から第１夾角を成し、第１夾角の角度は９０度〜１２０度範囲であり、第２差込端と第２ヘッド部から第２夾角を成し、第２夾角の角度は第１夾角の角度と同じであることを特徴とする。
【００１２】
本考案に係るペンチによると、第１ヘッド部は第１身部に脱着可能に設けられており、第２ヘッド部は第２身部に脱着可能に設けられており、第１身部は第１握り部と一体に成形され、第２身部は第２握り部と一体に成形され、第１身部と第１握り部とは板状を呈し、第２身部と第２握り部とは板状を呈し、第１握り部と第２握り部とには、間隔を置いて設けられるリブが複数設けられており、隣接する二つのリブは、指を置き可能な置き空間を形成し、第１挟み顎は、二つの第２挟み顎の一側へ伸びながら、幅が縮小して第１差込端が形成され、各第２挟み顎は、第１挟み顎の一側へ同じ幅で伸びて第２差込端が形成され、第１身部と第１握り部との構造は、第２身部と第２握り部との構造と同じであり、第１ヘッド部と第２ヘッド部とは、同じ側から第１身部と第２身部とに組付けられており、ペンチは、リベットを挟んでリベット台から引き出すことが可能であり、リベットは、ヘッド部と、軸と、を備え、軸は、ヘッド部に垂直であるように伸び、リベットがリベット台と係合するときに、軸はリベット台に差し込まれており、リベット台は、軸の差し込みにより膨らんで、これが差し込まれているワークと緊密に結合し、ヘッド部とリベット台とは、少なくとも三つの切り欠を形成し、第１挟み顎と二つの第２挟み顎とは、三つの切り欠に伸びて、二つの第２挟み顎は、側方向からヘッド部に押し付けて、第１挟み顎は、ヘッド部の相対的な下方に伸びて、ヘッド部をリベット台から離脱させ、第１挟み顎と二つの第２挟み顎が近接するときには、第１挟み顎が軸に押し付け、収容口が軸の一部を収容し、二つの第２挟み顎が軸の両側に位置し、第１挟み顎と第２挟み顎とは、軸の伸び方向においてヘッド部と干渉し、第１差込端と第１ヘッド部から第１夾角を成し、第１夾角の角度は９０度〜１２０度範囲であり、第２差込端と第２ヘッド部から第２夾角を成し、第２夾角の角度は第１夾角の角度と同じであることを特徴とする。
【考案の効果】
【００１３】
本考案に係るペンチによれば、第１挟み顎と二つの第２挟み顎との作動により、リベット台に係合されたリベットをリベット台から容易に引き出すことが可能であり、操作が容易であり、作動が迅速であり、リベット及びリベット台に傷つけないため、リベット及びリベット台を再利用することができるという効果を有する。
【図面の簡単な説明】
【００１４】
【図１】本考案の一実施形態に係るペンチを示す斜視図である。
【図２】本考案の一実施形態に係るペンチを示す分解斜視図である。
【図３】本考案の一実施形態に係るペンチの使用状態を示す図である。
【図４】本考案の一実施形態に係るペンチの使用状態を示す図である。
【図５】本考案の一実施形態に係るペンチの使用状態を示す図である。
【図６】本考案の一実施形態に係るペンチの使用状態を示す図である。
【考案を実施するための形態】
【００１５】
以下、本考案の実施の形態を図面に基づいて説明する。
【００１６】
図１から図６を参照する。本考案の一実施形態に係るペンチは、第１挟み部材１と、第２挟み部材２と、を備える。第１挟み部材１は、扁平状を呈する第１挟み顎１２を備える。第２挟み部材２と第１挟み部材１は、相対的に開閉することができる。第２挟み部材２は、扁平状を呈する二つの第２挟み顎２２を備える。二つの第２挟み顎２２が間隔を置いて配設されるため、収容口３が前記二つの第２挟み顎２２の間に形成される。第１挟み部材１と第２挟み部材２を相対的に開閉するときに、第１挟み顎１２は、収容口３に対して近接し、又は離れる。
【００１７】
本考案に係るペンチは、リベット６を挟んでリベット台７から引き出すものである。詳細には、リベット６は、ヘッド部６１と、軸６２と、を備える。軸６２は、ヘッド部６１に垂直であるように伸びる。リベット台７にリベット６を係合すると、ヘッド部６１とリベット台７に少なくとも三つの切り欠７１が形成される。リベット台７に軸６２を差し込むと、リベット台７は、軸６２に押し付けられて膨らむようになり、それが差し込まれたワークと緊密に結合するようになる。
【００１８】
本考案に係るペンチにより取り外し作業を行うときに、三つの切り欠７１に第１挟み顎１２と二つの第２挟み顎２２を差し込んで、二つの第２挟み顎２２は側方向からヘッド部６１に押し付ける。詳細には、第１挟み顎１２は、ヘッド部６１の相対的な下方に伸びて、リベット台７からヘッド部６１を離れさせる。第１挟み顎１２と二つの第２挟み顎２２が互いに近接するときに、第１挟み顎１２は軸６２に押し付け、収容口３は軸６２の一部を収容し、二つの第２挟み顎２２は軸６２の両側に位置する。これにより、リベット６を安定的に挟むことができる。そして第１挟み顎１２と第２挟み顎２２とは、軸６２の伸び方向においてヘッド部６１と干渉するため、ユーザは、リベット６に傷つけず、リベット６を容易に引き出すことができる。このとき、軸６２が内からリベット台７に押し付けないため、全体の構造が緩み状態になる。これにより、差し込まれたワークからリベット台７を取り外すことができる。取り外されたリベット６及びリベット台７は、構造の完全性が良いため、再利用することが可能である。
【００１９】
本実施形態では、第１挟み顎１２の二つの第２挟み顎２２に向く一側は、伸びながら幅が縮小して第１差込端１２１が形成される。第１差込端１２１はより鋭いため、ヘッド部６１の下方に伸びることができる。各第２挟み顎２２の第１挟み顎１２に向く一側は、同じ幅で伸びて第２差込端２２１が形成される。本考案に係るペンチにより、リベット６を引き出す過程中に、同じ幅を持つ第２差込端２２１はヘッド部６１との接触面積が大きいため、上方への力を安定的に提供することができ、リベット６を移動することができる。
【００２０】
具体的に、第１挟み部材１は、更に、互いに連接する、第１ヘッド部１１と、第１身部１３と、第１握り部１４と、を備える。第１挟み顎１２は第１ヘッド部１１に設けられている。第２挟み部材２は、更に、互いに連接する、第２ヘッド部２１と、第２身部２３と、第２握り部２４と、を備える。第２挟み顎２２は第２ヘッド部２１に設けられている。第２身部２３は第１身部１３に枢着されている。
【００２１】
第１ヘッド部１１は第１身部１３に脱着可能に設けられており、第２ヘッド部２１は第２身部２３に脱着可能に設けられていることが好ましい。これにより、第１挟み顎１２又は第２挟み顎２２が摩耗したと、第１ヘッド部１１又は第２ヘッド部２１を交換することができる。
【００２２】
具体的に、枢着軸５１は、第１身部１３と第２身部２３とを挿通し、第１ヘッド部１１と第１握り部１４とは、それぞれ枢着軸５１の両側に位置し、第２ヘッド部２１と第２握り部２４とは、それぞれ枢着軸５１の両側に位置する。第１握り部１４が第２握り部２４に近接するときに、第１挟み顎１２及び二つの第２挟み顎２２は互いに近接する。
【００２３】
第１握り部１４と第２握り部２４との間に弾性部材５２が設けられていることが好ましい。弾性部材５２により、第１握り部１４と第２握り部２４は、互いに離れるように付勢される。
【００２４】
特に、第１差込端１２１と第１ヘッド部１１から第１夾角８１を成し、第１夾角８１の角度は９０度〜１２０度範囲であることが好ましい。これにより、ヘッド部６１に伸びて取り外すことが容易となる。同様に、第２差込端２２１と第２ヘッド部２１から第２夾角８２を成す。第２夾角８２の角度は第１夾角８１の角度と同じであることが好ましい。これにより、二つの第２差込端２２１は、第１差込端１２１と同じ力でヘッド部６１を取り外すことができる。
【００２５】
本実施形態では、第１身部１３と第１握り部１４との構造は、第２身部２３と第２握り部２４との構造と同じであって、第１身部１３と第１握り部１４とは板状を呈し、第２身部２３と第２握り部２４とは板状を呈する。そして第１身部１３は第１握り部１４と一体に成形される。これにより、構造は堅実となる。同様に、第２身部２３は第２握り部２４と一体に成形される。一方、第１ヘッド部１１と第２ヘッド部２１とは、同じ側から第１身部１３と第２身部２３とに組付けられることにより、組付けるときに迅速に識別することができる。
【００２６】
第１握り部１４と第２握り部２４とには、間隔を置いて配設されるリブ４１が複数設けられていることが好ましい。隣接する二つのリブ４１により、指を置き可能な置き空間４２が形成される。これにより、ユーザは本考案に係るペンチを安定的に握ることができる。
【００２７】
本考案に係るペンチによれば、第１挟み顎と二つの第２挟み顎との作動により、リベット台に係合されたリベットをリベット台から容易に引き出すことが可能であり、操作が容易であり、作動が迅速であり、リベット及びリベット台に傷つけないため、リベット及びリベット台の寿命は長くなる。
【００２８】
なお、本考案は前記実施の形態に限定されるものではなく、本考案の趣旨に基づいて種々変形させることが可能であり、それらを本考案の実用新案登録請求の範囲から排除するものではない。
【符号の説明】
【００２９】
１    第１挟み部材
２    第２挟み部材
３    収容口
６    リベット
７    リベット台
１１    第１ヘッド部
１２    第１挟み顎
１３    第１身部
１４    第１握り部
２１    第２ヘッド部
２２    第２挟み顎
２３    第２身部
２４    第２握り部
４１    リブ
４２    置き空間
５１    枢着軸
５２    弾性部材
６１    ヘッド部
６２    軸
７１    切り欠
８１    第１夾角
８２    第２夾角
１２１    第１差込端
２２１    第２差込端
【図１】
0003222669.tif 000003
【図２】
0003222669.tif 000004
【図３】
0003222669.tif 000005
【図４】
0003222669.tif 000006
【図５】
0003222669.tif 000007
【図６】
0003222669.tif 000008